(57)【要約】  容積式無針アクセスコネクタは、メス型ルアー継手を伴う筐体と、オス型ルアー継手を伴う基部と、筐体内に密閉を生成する、近位端、隔壁、および隔壁を通気させるように、基部に継合する、遠位端を伴う、弁要素と、を含み、基部および弁要素は、相互に連結し、筐体の内径より小さい最大外径を有するアセンブリを生成する。
2013521983.tif 000002
【特許請求の範囲】
【請求項１】
容積式無針アクセスコネクタであって、
メス型ルアー継手を伴う筐体と、
オス型ルアー継手を伴う基部と、
前記筐体内に密閉を生成する、近位端、隔壁、および前記隔壁を通気させるように、前記基部に継合する、遠位端を伴う、弁要素と、
を備え、前記基部および前記弁要素は、相互に連結し、前記筐体の内径より小さい最大外径を有するアセンブリを生成する、コネクタ。
【請求項２】
前記弁要素の遠位端は、スナップ式機構を使用して、前記基部に継合する、請求項１に記載の容積式無針アクセスコネクタ。
【請求項３】
前記筐体は、「Ｖ」形状継手を使用して、前記基部に連結される、請求項１に記載の容積式無針アクセスコネクタ。
【請求項４】
前記筐体は、キーおよびスロット継手を使用して、前記基部に連結される、請求項１に記載の容積式無針アクセスコネクタ。
【請求項５】
前記隔壁から前記基部の遠位端へと「Ｙ」形状通気路を備える、請求項１に記載の容積式無針アクセスコネクタ。
【請求項６】
前記「Ｙ」形状通気路は、三角形形状分岐を含む、請求項５に記載の容積式無針アクセスコネクタ。
【請求項７】
容積式無針アクセスコネクタであって、
その近位端に、第１のルアー継手を有する、筐体と、
その遠位端に、第２のルアー継手を有する、基部と、
前記弁要素の表面が、実質的に、前記基部の表面と同一平面にあるように、前記第１のルアー継手に密閉を生成し、前記基部に継合する、近位端を伴う弁要素と、
を備える、コネクタ。
【請求項８】
前記筐体および前記基部は、対応する嵌合表面を有する、請求項７に記載の容積式無針アクセスコネクタ。
【請求項９】
前記対応する嵌合表面は、Ｖ形状カム表面を備える、請求項８に記載の容積式無針アクセスコネクタ。
【請求項１０】
前記対応する嵌合表面は、スロットおよびキー継手を備える、請求項８に記載の容積式無針アクセスコネクタ。
【請求項１１】
前記筐体、弁要素、および基部は、前記第１のルアー継手から前記第２のルアー継手へと流体流路を画定する、請求項７に記載の容積式無針アクセスコネクタ。
【請求項１２】
前記弁要素は、隔壁を含み、前記弁要素および前記基部は、前記隔壁を大気と接続する、空気路を画定する、請求項１１に記載の容積式無針アクセスコネクタ。
【請求項１３】
前記空気路は、前記流体流路から密閉される、請求項１２に記載の容積式無針アクセスコネクタ。
【請求項１４】
容積式無針アクセスコネクタであって、
その近位端に、第１のルアー継手を有する、筐体と、
その遠位端に、第２のルアー継手を有する、基部と、
前記第１のルアー継手に密閉を生成し、連動スナップ継手を使用して、前記基部の近位端に継合する、近位端を伴う弁要素と、
を備える、コネクタ。
【請求項１５】
前記弁要素の隔壁からの空気路は、前記スナップ継手の一部を形成する、前記基部の一部内に軸方向に配置される、単一経路を備える、請求項１４に記載の容積式無針アクセスコネクタ。
【請求項１６】
前記空気路はさらに、前記単一経路から大気への分岐を備える、請求項１５に記載の容積式無針アクセスコネクタ。
【請求項１７】
前記分岐は、三角形に成形される、請求項１６に記載の容積式無針アクセスコネクタ。
【請求項１８】
無針アクセスコネクタを組み立てる方法であって、前記無針アクセスコネクタは、その近位端に、第１のルアー継手を有する、筐体と、その遠位端に、第２のルアー継手を有する、基部と、隔壁および前記第１のルアー継手に第１の密閉を生成する、近位端を伴う、弁要素と、を含み、
前記弁要素の遠位端を前記基部の近位端に継合し、前記弁要素と前記基部との間に第２の密閉を生成し、前記隔壁を前記第１と第２のルアー継手との間の流体流路から分離するステップであって、前記弁要素および前記基部の外側表面は、前記外側表面が整合する場所と同一平面である、ステップと、
前記弁要素および前記基部を前記筐体内に配置するステップと、
を備える、方法。
【請求項１９】
前記弁要素の遠位端を前記基部の近位端に継合するステップは、
連動スナップ継手をともに付勢するステップを備える、請求項１８に記載の方法。
【請求項２０】
前記基部を前記筐体に恒久的に添着するステップをさらに備える、請求項１８に記載の方法。
【発明の詳細な説明】
【技術分野】
【０００１】
本開示は、無針アクセスコネクタに関し、より具体的には、容積式無針アクセスコネクタに関する。
【背景技術】
【０００２】
現代の医療治療は、多くの場合、医療専門家に、流体を患者に導入する、または流体を患者から採取することを要求する。例えば、患者は、医療専門家に、それぞれ、尿道または静脈から、尿または血液を採取することを要求する、治療を必要とし得る。反対に、医療専門家は、患者の静脈内に（すなわち、静脈を介して）、薬物または栄養を導入することを必要とし得る。患者内へまたは患者からの流体の流動のための経路を生成するために、ある方法は、医療施術者が、カテーテルを使用することを要求し、その場合、カテーテルの一端は、患者内に挿入される。カテーテルの他端は、ＩＶラインを通して、静脈内バッグ（ＩＶバッグ）に接続する。無針アクセスコネクタは、医療施術者が、針を使用することなく、カテーテルからデバイス（例えば、ＩＶバッグ）を除去する、またはカテーテルにデバイスを追加することを可能にする、弁を採用する。無針アクセスコネクタの実施例は、図１Ａおよび１Ｂに示される。
【０００３】
図１Ａは、現在の無針アクセスコネクタ１００の部分切断図である。無針アクセスコネクタ１００は、近位端にメス型ルアー継手１０１を有する、筐体１２０と、遠位端に、オス型ルアー継手１０２を有する、基部１３０と、筐体１２０の内側かつ基部１３０の上部に着座する、弁要素１０３と、を含む。筐体１２０および基部１３０は、剛性プラスチック、通常、ポリカーボネートから作製され、弁要素１０３は、液体シリコーンから作製され、したがって、弾性であって、圧壊する。使用時、オス型ルアー継手１０２は、例えば、カテーテルまたはメス型ルアーに接続され、メス型ルアー継手１０１は、流体リザーバ、例えば、ＩＶバッグまたはオス型ルアーに接続される。メス型ルアー継手１０１は、中空部材（図１Ｂに示されるように）を有し、メス型ルアー継手１０１の上部を通して挿入される、第２のオス型ルアー継手１０６を介して、流体リザーバに接続される。オス型ルアー１０６の挿入は、弁要素１０３を容積１０４内へと下方に圧壊し、密閉を破砕し、流体流路を生成する。図ＩＢは、オス型ルアー１０６のメス型ルアー１０１内への挿入後の圧壊された位置における、圧壊式弁要素１０３を示す。オス型ルアー１０６は、例えば、ＩＶバッグから、オス型ルアー継手１０２内のチャネル内へおよびカテーテルまたはメス型ルアー内へと、弁要素１０３の周囲を流動する、流体を送達する。
【０００４】
弁要素１０３内側には、空気で充填される、間隙（または、隔壁（図示せず））がある。無針アクセスコネクタ１００は、新しい接続が、メス型ルアー継手１０１で行われると、デバイス１００が、弁のオス型側（すなわち、オス型ルアー継手１０２に近接する側）から、流体を引き込むような、容積式デバイスである。メス型ルアー継手１０１で分断が行われると、デバイス１００は、メス型側（すなわち、メス型ルアー継手１０１の上部に近接する側）から、流体を押しやる。容積式の利点は、分断が行われると、デバイス１００が、オス型ルアー継手１０２から流体を排出し、効果的に、カテーテルから出水することである。対照的に、今日における市場のいくつかのデバイスは、オス型ルアー（例えば、オス型ルアー１０６）が、分断されると、そのようなデバイスが、オス型ルアー１０２側から少量の液体を引き込むような、負の変位を有する。液体が、患者の静脈に取着される、カテーテルのオス型ルアー１０２側から引き込まれると、血液は、カテーテル内腔内に引き込まれ、本血液が、カテーテル内腔内に残留される場合、凝固し、患者に健康上の問題を引き起こし得る。容積式コネクタは、オス型ルアー（例えば、オス型ルアー１０６）が、無針アクセスコネクタから分断され、その圧壊式弁が、その圧壊状態からその非圧壊状態に移行すると、流体を押し出すことによって、本問題を回避する。容積式コネクタからの流体のパージは、血液がカテーテルの先端に流入するのを防止するのに有用であって、それによって、血液凝固／汚染、ひいては、血流感染を防止する。
【０００５】
動作時、無針アクセスコネクタ１００のメス型端が、オス型ルアーによってアクセスされると（図１Ｂ）、弁要素１０３は、流動を妨害しないように屈曲し、次いで、メス型端で分断が行われた後、その原初の形状に復元することができるように、十分に弾性である。したがって、無針アクセスコネクタ１００は、自己再密閉し、アルコール綿棒を使用して、上面１１０を消毒することができる、平坦表面を形成する。
【０００６】
無針アクセスコネクタ１００を使用して、デバイスを、例えば、カテーテルに接続する前、無針アクセスコネクタ１００は、ある程度の空気を含有するであろう。本空気は、そうでなければ、患者内に圧送され、患者に外を及ぼし得るため、無針アクセスコネクタ１００をカテーテルと併用する前に除去される。通常、本空気を除去するために、医療施術者は、無針アクセスコネクタを反転させ、生理食塩水を含有する注射器を無針アクセスコネクタに取着する。次いで、生理食塩水は、無針アクセスコネクタを通して押動され、それによって、コネクタから空気を排出する（本プロセスは、呼水として知られており、無針アクセスコネクタから全空気を除去するために要求される、最小容積の液体は、呼水容積として知られている）。ある医療施術者は、薬剤送達の遅延を低減させるために、より少ない呼水容積を伴う、無針アクセスコネクタを好む。
【０００７】
無針アクセスコネクタに呼水が差された後、医療施術者は、通常、オス型端１０２をカテーテル（図示せず）に接続する。医療施術者は、オス型ルアーをＩＶバッグ（図示せず）から無針アクセスコネクタへと接続する。例えば、医療施術者は、図１Ｂに示されるように、注射器１０６の端部をメス型ルアー継手１０１に接続するであろう。
【０００８】
無針アクセスコネクタ１００において着目すべきは、筐体１２０、基部１３０、および弁要素１０３の形状である。弁要素１０３は、弁要素１０３の本体より大きい外径を伴う部分である、フランジ１０５を有する。筐体１２０は、フランジ１０５に適合する、肩部１０７を有する。組み立てられると、フランジ１０５は、基部１３０と肩部１０７との間に固定して保持され、それによって、フランジ１０５と基部１３０との間に密閉を生成する。密閉の理由は、空気が、オス型ルアー１０６からオス型ルアー１０２への流体流路内に侵入することなく、隔壁内の空気が通気されることができるようにするためである。本明細書には図示されないが、ｙ-軸方向に、基部１３０の螺着部分から、流体と混合することなく、弁要素１０３が、圧縮および展開されるのに伴って、隔壁からおよび隔壁内へ空気を流出入させる、弁要素１０３の隔壁へと延在する、２つの通気孔が存在する。組み立てられると、筐体１２０および基部１３０は、界面１１５において溶接される。
【０００９】
フランジ１０５は、弁要素１０３の全体的幅を増加させ、コネクタ１００は、流体をフランジ１０５の周囲に流動させ、それによって、コネクタ１００自体を拡開させる。その結果、コネクタ１００は、カテーテル（図示せず）と比較して、特に、コネクタ１００が、新生児の皮膚に対して留置される時、大きく見え得る。コネクタ１００の典型的使用は、カテーテルが、コネクタ１００に連結する点の近傍の患者の皮膚に、カテーテルを留着するものである。しかしながら、コネクタ１００の幅広形状は、コネクタ１００を皮膚に対して不快に適合させ得る。加えて、コネクタ１００の幅は、より大きな呼水容積をもたらし得る。
【発明の概要】
【００１０】
種々の実施形態は、基部に継合する、弁要素を伴う、コネクタを含む。例えば、一実施形態では、例示的弁要素は、２つの構成要素が嵌合する、基部と同一平面にある。別の実施例では、基部および弁要素は、相互に連結し、筐体の内径より小さい最大外径を有するアセンブリを生成する。
【００１１】
種々の実施形態は、弁要素の幅プロファイルおよびコネクタが全体として、図１Ａおよび１Ｂに示される以前の解決策と比較して、低減されることができるように、フランジを最小限にし、または排除する。フランジを排除し、弁要素を基部に継合するための例示的技法として、弁要素を基部に嵌合する、スナップ継手の使用が挙げられるが、他の実施形態は、他の技法を使用することができる。付加的実施形態として、コネクタを製造する方法を含む。
【００１２】
前述は、以下の発明を実施するための形態がより理解され得るために、本発明の特徴および技術的利点をかなり広範に概略した。本発明の請求項の主題を形成する、本発明の付加的特徴および利点は、以下に説明されるであろう。開示される概念および具体的実施形態は、本発明の同一目的を実行するための他の構造を修正または設計するための基礎として、容易に利用されてもよいことは、当業者によって理解されるはずである。また、そのような同等構造は、添付の請求項に記載される発明の精神および範囲から逸脱するものではないことが、当業者によって認識されるはずである。本発明の特色と考えられる、新規特徴は、その編成および動作方法の両方に関して、さらなる目的および利点とともに、付随の図と併せて検討されることによって、以下の説明からより理解されるであろう。しかしながら、図はそれぞれ、例証および説明の目的のためだけに提供され、本発明の限定の定義として意図されるものではないことを明示的に理解されたい。
【図面の簡単な説明】
【００１３】
次に、本発明のより完全な理解のために、付随の図面と関連して検討される、以下の説明を参照する。
【００１４】
【図１Ａ】図１Ａは、現在の無針アクセスコネクタの部分切断図である。
【図１Ｂ】図１Ｂは、オス型ルアーのメス型ルアー内への挿入後の圧壊された位置における、圧壊式弁要素を示す。
【００１５】
【図２Ａ】図２Ａは、本発明の一実施形態に従って適応された、例示的容積式無針アクセスコネクタの分解図を提供する。
【図２Ｂ】図２Ｂは、本発明の一実施形態に従って適応された、例示的容積式無針アクセスコネクタの分解図を提供する。
【００１６】
【図３Ａ】図３Ａは、本発明の一実施形態に従って適応された、例示的容積式無針アクセスコネクタの分解図を提供する。
【図３Ｂ】図３Ｂは、本発明の一実施形態に従って適応された、例示的容積式無針アクセスコネクタの分解図を提供する。
【００１７】
【図４】図４は、一実施形態に従う、使用時の例示的コネクタの透視図である。
【００１８】
【図５】図５は、図２Ａ、Ｂ、および３Ａ、Ｂの断面から９０度回転された、一実施形態に従って適応された、例示的コネクタの断面図である。
【００１９】
【図６】図６は、一実施形態に従う、組み立てられ、使用の準備ができた状態の例示的コネクタの図である。
【００２０】
【図７】図７は、一実施形態に従って適応された、例示的コネクタの図である。
【００２１】
【図８】図８は、一実施形態に従う、容積式無針コネクタを製造するための例示的方法の図である。
【発明を実施するための形態】
【００２２】
図２Ａおよび２Ｂは、本発明の一実施形態に従って適応された、例示的容積式無針アクセスコネクタ２００の分解図を提供する。図２Ａは、部分切断図である一方、図２Ｂは、コネクタ２００の外部を示す。
【００２３】
コネクタ２００は、３つの基本部品、すなわち、基部２１０、弁要素２２０、および筐体２３０を有する。筐体２３０は、例えば、ＩＶバッグ等の流体リザーバに接続する、近位端にメス型ルアー継手２３１を有する。基部２１０およびネジ山２３２は、コネクタ２００の遠位端に、オス型ルアー継手を形成し、オス型ルアー継手は、例えば、患者と連通する、カテーテルに接続する。弁要素２２０は、以下により詳細に説明されるように、圧縮および展開されるのに伴って、空気で充填され、大気に通気する、隔壁２２１を含む。
【００２４】
図３Ａおよび３Ｂは、本発明の一実施形態に従って適応された、例示的容積式無針アクセスコネクタ２００の分解図を提供する。図３Ａは、部分切断図である一方、図３Ｂは、コネクタ２００の外部を示し、図３Ａおよび３Ｂは両方とも、弁要素２２０に継合される、基部２１０を示す。
【００２５】
基部２１０および弁要素２２０は、本実施形態では、本明細書では、便宜上、スナップ継手と称される、連動オス型／メス型継手２５０を使用して、ともに連結される。スナップ継手２５０のメス型部分である、弁要素２２０の上部は、スナップ継手２５０のオス型部分を形成する、基部２１０の対応する部分に緊密な密閉圧搾を有するように、十分に小さく作製される。多くの実施形態では、スナップ継手２５０における密閉は、空気をコネクタ２００内の流体から分離して維持するために、少なくとも通常動作温度および圧力において、気密である。製造の際、基部２１０および弁要素２２０は、手または機械のいずれかによって、それらをともに付勢することによって、ともに継合することができる。いくつかの実施形態では、約１ポンドの力が、接続を行うために十分となり、約２ポンドでは、接続を破砕するために十分となるが、種々の実施形態は、異なってもよい。
【００２６】
図３ＡおよびＢは、スナップ継手２５０を示すが、実施形態の範囲は、そのように限定されない。例えば、他の実施形態は、螺着アセンブリまたは他の継手等、異なる種類の継合継手を採用してもよい。
【００２７】
図３Ａおよび３Ｂの例示的実施形態では、基部２１０および弁要素２２０の外側表面は、スナップ継手２５０において同一平面となる。実際のデバイスの場合、弁要素２２０および基部２１０の外側表面は、正確に同一平面となることは稀であるが、いくつかの実施形態では、ある程度の公差（例えば、約２％）が許容可能であることを理解されたい。したがって、コネクタ２００は、従来の容積式デバイスのフランジ（例えば、図１Ａのフランジ１０５）をスナップ継手２５０と置換し、図３Ａおよび３Ｂに示される外側表面と同一表面となる。したがって、弁要素２２０の形状は、より狭いプロファイルを有し、より狭いプロファイルのコネクタ内で使用することができる。
【００２８】
基部２１０および弁要素２２０は、ともに継合し、筐体２３０内に留置される、アセンブリを形成する。コネクタ２００は、ほぼ「Ｖ」形状の継手を使用して、基部２１０を筐体２３０に嵌合する。相補表面２１１および２３３は、基本的に、Ｖ形状であるが、若干の湾曲を有し、基部２１０が筐体２３０内に挿入されると、基部２１０を定位置に保持するようにともに適合する。基部２１０が挿入されるのに伴って、相補表面２１１、２３３は、筐体２３０に対して、基部２１０の位置合わせを自己補正し、カムのように作用する。したがって、基部２１０が、ある任意の位置合わせがずれた程度で挿入される場合、相補表面２１１、２３３（接触されると）は、基部２１０を定置に回転させる。その結果、基部２１０は、精密に着座し、溶接が行われた後、空気通気孔２１２は、大気へと通気可能となる一方、遠位流動チャネル２１３は、基部２１０のオス型ルアー出口に接続される。
【００２９】
遠位流動チャネル２１３および空気通気孔２１２は、本実施形態では、相互に垂直である。したがって、２つの空気通気孔２１２のうちの一方は、図３Ｂに示される一方、遠位流動チャネル２１３は、図３Ａの断面に示される。流動および通気は、図４により詳細に示される。
【００３０】
図４は、一実施形態に従う、使用時の例示的コネクタ２００の透視図である。図４では、流体は、メス型ルアー継手２３１と係合される、オス型ルアーコネクタ４１０から、筐体２３０を通って、基部２１０のオス型ルアー出口を通って、メス型ルアー継手４０２内へと移送されている。そのような実施例は、ＩＶバッグ（図示せず）から、患者の血流内への流体の移送を含んでもよい。図４は、患者内への流動を示すが、本発明の種々の実施形態はまた、患者からの流体の流動を促進することを理解されたい。
【００３１】
メス型ルアー継手２３１に接続が存在しない時、弁要素２３０は、メス型ルアー継手２３１の近位端ならびに肩部２３４に密閉を生成する。そのような密閉は、非使用時、コネクタ２００を通した流体の流動を防止する。また、継手２３１の近位端における密閉は、消毒可能である、平面表面を生成する。メス型ルアー継手２３１の近位端および肩部２３４における密閉は、図５に示される。
【００３２】
使用の際、オス型ルアー継手４０１は、弁要素２２０を圧壊し、肩部２３４および継手２３１の近位端における密閉を破砕する。次いで、流体は、筐体２３０の内側表面内に形成される、近位流動チャネル４０３を介して、弁要素２３０の周囲および筐体２３０を通して、自由に流動する。表面２１１、２３３における溶接は、流体が、Ｖ形状の周囲および遠位流動チャネル２１３内へ流動するように、流体を停止し、流体は、基部２１０のオス型ルアー出口を通して、外方に指向される。隔壁２２１からの空気は、空気通気孔２１２を通して、大気に、かつ基部２１０および筐体２３０によって形成される、オス型ルアー継手の一部である、螺着チャンバ４０４内へと、通気される。空気路は、通気孔２１２および筐体２３０の内側表面によって画定され、表面２１１、２３３における溶接は、空気流を流体流動から分離して維持する、密閉を生成する。螺着チャンバ４０４は、メス型継手４０２と係合される時でも、気密ではなく、それによって、弁要素２２０が、図４に示されるように、圧縮される、または展開されるのに伴って、隔壁２２１を周囲大気と連通させる。
【００３３】
図５は、図２Ａ、Ｂおよび３Ａ、Ｂの断面から９０度回転された、一実施形態に従って適応された、例示的コネクタ２００の断面図である。図５において着目すべきは、隔壁２２１から大気への空気路である。空気路は、基部２１０内に形成される、単一通気孔５０１と、通気孔２１２と、を含む。単一通気５０１および通気孔２１２は、実質的に、「Ｙ」形状の空気路を形成する。これは、直接、大気を隔壁に接続する、ｙ-軸方向に（「軸方向に」）形成される、２つ以上の別個の通気孔を含む、従来の設計とは対照的である。
【００３４】
従来の製造技法の際、射出成形技法が使用され、２つ以上の別個の通気孔が、材料が高温である時、鋳型空洞内に挿入された、長く、薄いピンを使用して、生成される。鋳型が開放されると、長く、薄いピンは、除去され、２つ以上の別個の通気孔を形成する。しかしながら、長く、薄いピンは、使用の際、破砕する傾向がある。原則として、ピンが短く、厚いほど、長持ちする。
【００３５】
対照的に、基部２１０は、鋳型内の対応する形状の金属片によって形成することができる、比較的に幅広かつ短い通気孔２１２を有する。空気路は、中心軸から基部２１０の外側表面へと、各通気孔２１２内に三角形の拡開を有する。対応する形状の金属片（図示せず）は、従来の技法の長く、薄いピンより、厚くかつ短く、したがって、破砕を被る可能性が低い。単一チャネル５０１は、比較的に幅広に作製され、スナップ継手２５０のオス型部分に対応する、基部２１０の一部内に留置される。さらに、単一チャネル５０１は、隔壁２２１から螺着チャンバ４０４までの全長を横断する必要はないため、流体流路の妨害を回避する。故に、単一チャネル５０１は、長く、薄いピンで作製されることもない。
【００３６】
図６は、一実施形態に従う、組み立てられ、使用の準備ができた状態の例示的コネクタ２００の図である。筐体２３０は、ポリカーボネート、ポリスチレン、およびアクリロニトリル・ブタジエン・スチレンを含む、材料から作製されてもよい。筐体２３０は、いくつかの実施形態では、ＩＳＯ規格５９４に準拠する、メス型ルアー継手２３１を含む。同様に、筐体２３０の遠位端における、かつ基部２１０とともに形成される、オス型ルアーの構成は、いくつかの実施形態では、ＩＳＯ規格５９４に準拠する。弁要素２２０は、筐体２３０内に配置され、変形可能かつ生体適合性であるシリコーンゴム等の弾性材料から作製されてもよい。
【００３７】
図７は、一実施形態に従って適応された、例示的コネクタ７００の図である。コネクタ７００は、コネクタ２００（例えば、図２−６）に類似するが、コネクタ２００内に特徴付けられる、Ｖ形状継手の代わりに、スロットおよびキー継手を使用して、筐体７３０を基部７１０に嵌合する。スロットおよびキー構成では、基部７１０は、筐体７３０の内側表面におけるスロット内に適合するように定寸される、突起（キー）を有する（または、その逆も然り）。製造の際、基部７１０および弁要素２２０は、筐体７３０内に挿入され、スロットが、キーと嵌合するまで、転動される。次いで、基部７１０および筐体７３０は、溶接される。実施形態の範囲は、基部および筐体を嵌合するための種々の技法のいずれかが、種々の実施形態において使用することができるため、スロットおよびキー継手またはＶ形状継手に限定されない。
【００３８】
図８は、一実施形態に従う、容積式無針コネクタを製造するための例示的方法８００の図である。方法８００は、例えば、ヒトおよび／または１つ以上の機械によって、行われてもよい。
【００３９】
ブロック８０１では、弁要素の遠位端が、基部の近位端に継合される。継合は、弁要素と基部との間に密閉を生成し、隔壁を第１と第２のルアー継手との間の流体流路から分離する。ブロック８０１は、ともに嵌合された弁要素および基部を含む、図３Ａに示されるようなアセンブリを生成する。一実施例では、弁要素および基部は、スナップ継手を使用して継合されるが、他の実施形態では、他の継合技法を使用することができる。
【００４０】
ブロック８０２では、弁要素および基部が、筐体内に配置される。例えば、基部および筐体を自己位置合わせする、図３Ａおよび３Ｂに示されるようなＶ形状継手を使用することができるが、キーおよびスロット等の他の継手を使用することもできる。弁および基部が、筐体内に配置されると、弁要素の近位端は、筐体の近位端に、１つ以上の密閉を生成する。
【００４１】
ブロック８０３では、基部および筐体は、恒久的に添着される。ブロック８０３では、超音波溶接、接着剤の塗布等、種々の技法を使用することができる。本実施例では、基部および筐体は、基部および筐体が、恒久的に添着された後、空気通気路を流体流路から分離する、密閉が生成されるように、ともに緊密に適合する。種々の実施形態は、種々の作用が、追加、省略、再配設、または修正されるため、図８に示されるプロセスに限定されない。
【００４２】
いくつかの実施形態は、従来の解決策に勝る１つ以上の利点を享受し得る。一側面では、図１Ａおよび１Ｂのフランジの排除は、弁要素、ひいては、コネクタ全体としてのサイズを減少させる。より小さい容積を伴うコネクタは、概して、同様に、流体および廃棄物を減少させ得る、より小さい呼水容積を有することが予測され、医療専門家にとって、視覚的により魅力的となり得る。加えて、いくつかの実施形態は、全体的幅が減少され、カテーテルが、コネクタに近接する皮膚に留着される時、概して、患者により快適となる。
【００４３】
本発明およびその利点が、詳細に説明されたが、添付の請求項によって定義される、本発明の範囲から逸脱することなく、種々の変更、代用、および代替を行うことができることを理解されたい。さらに、本願の範囲は、本明細書に説明される、プロセス、機械、製造、組成物、手段、方法、およびステップの特定の実施形態に限定されることを意図するものではない。当業者が、本発明の開示から容易に理解するように、本明細書に説明される対応する実施形態と実質的に同一機能を果たす、または実質的に同一結果を達成する、現在存在する、あるいは後に開発される、プロセス、機械、製造、組成物、手段、方法、またはステップが、本発明に従って利用されてもよい。故に、添付の請求項は、その範囲内に、そのようなプロセス、機械、製造、組成物、手段、方法、またはステップを含むことが意図される。
【００４４】
本明細書に説明される、すべての要素、部品、およびステップが、好ましくは、含まれる。これらの要素、部品、およびステップのいずれも、当業者に明白であるように、他の要素、部品、およびステップによって置換される、または全部削除されてもよいことを理解されたい。
【００４５】
広義において、本書は、メス型ルアー継手を伴う筐体と、オス型ルアー継手を伴う基部と、筐体内に密閉を生成する、近位端、隔壁、および隔壁を通気させるように、基部に継合する、遠位端を伴う、弁要素と、を含み、基部および弁要素は、相互に連結し、筐体の内径より小さい最大外径を有するアセンブリを生成する、容積式無針アクセスコネクタを開示する。
【概念】
【００４６】
本書は、少なくとも以下の概念を開示する。
概念１．容積式無針アクセスコネクタであって、
メス型ルアー継手を伴う筐体と、
オス型ルアー継手を伴う基部と、
筐体内に密閉を生成する、近位端、隔壁、および隔壁を通気させるように、基部に継合する、遠位端を伴う、弁要素と、基部および弁要素は、相互に連結し、筐体の内径より小さい最大外径を有するアセンブリを生成する、コネクタ。
概念２．弁要素の遠位端は、スナップ式機構を使用して、基部に継合する、概念１の容積式無針アクセスコネクタ。
概念３．筐体は、「Ｖ」形状継手を使用して、基部に連結される、概念１の容積式無針アクセスコネクタ。
概念４．筐体は、キーおよびスロット継手を使用して、基部に連結される、概念１の容積式無針アクセスコネクタ。
概念５．隔壁から基部の遠位端へと「Ｙ」形状通気路を備える、概念１の容積式無針アクセスコネクタ。
概念６．「Ｙ」形状通気路は、三角形形状分岐を含む、概念５の容積式無針アクセスコネクタ。
概念７．容積式無針アクセスコネクタであって、
その近位端に、第１のルアー継手を有する、筐体と、
その遠位端に、第２のルアー継手を有する、基部と、
弁要素の表面が、実質的に、基部の表面と同一平面にあるように、第１のルアー継手に密閉を生成し、基部に継合する、近位端を伴う弁要素と、
を備える、コネクタ。
概念８．筐体および基部は、対応する嵌合表面を有する、概念７の容積式無針アクセスコネクタ。
概念９．対応する嵌合表面は、Ｖ形状カム表面を備える、概念８の容積式無針アクセスコネクタ。
概念１０．対応する嵌合表面は、スロットおよびキー継手を備える、概念８の容積式無針アクセスコネクタ。
概念１１．筐体、弁要素、および基部は、第１のルアー継手から第２のルアー継手へと流体流路を画定する、概念７の容積式無針アクセスコネクタ。
概念１２．弁要素は、隔壁を含み、弁要素および基部は、隔壁を大気と接続する、空気路を画定する、概念１１の容積式無針アクセスコネクタ。
概念１３．空気路は、流体流路から密閉される、概念１２の容積式無針アクセスコネクタ。
概念１４．容積式無針アクセスコネクタであって、
その近位端に、第１のルアー継手を有する、筐体と、
その遠位端に、第２のルアー継手を有する、基部と、
第１のルアー継手に密閉を生成し、連動スナップ継手を使用して、基部の近位端に継合する、近位端を伴う弁要素と、
を備える、コネクタ。
概念１５．弁要素の隔壁からの空気路は、スナップ継手の一部を形成する、基部の一部内に軸方向に配置される、単一経路を備える、概念１４の容積式無針アクセスコネクタ。
概念１６．空気路はさらに、単一経路から大気への分岐を備える、概念５の容積式無針アクセスコネクタ。
概念１７．分岐は、三角形に成形される、概念１６の容積式無針アクセスコネクタ。
概念１８．無針アクセスコネクタを組み立てる方法であって、無針アクセスコネクタは、その近位端に、第１のルアー継手を有する、筐体と、その遠位端に、第２のルアー継手を有する、基部と、隔壁および第１のルアー継手に第１の密閉を生成する、近位端を伴う、弁要素と、を含み、
弁要素の遠位端を基部の近位端に継合し、弁要素と基部との間に第２の密閉を生成し、隔壁を第１と第２のルアー継手との間の流体流路から分離するステップであって、弁要素および基部の外側表面は、外側表面が整合する場所と同一平面である、ステップと、
弁要素および基部を筐体内に配置するステップと、
を備える、方法。
概念１９．弁要素の遠位端を基部の近位端に継合するステップは、
連動スナップ継手をともに付勢するステップを備える、概念１８の方法。
概念２０．基部を筐体に恒久的に添着するステップをさらに備える、概念１８の方法。
【図１Ａ】
2013521983.tif 000003
【図１Ｂ】
2013521983.tif 000004
【図２Ａ】
2013521983.tif 000005
【図２Ｂ】
2013521983.tif 000006
【図３Ａ】
2013521983.tif 000007
【図３Ｂ】
2013521983.tif 000008
【図４】
2013521983.tif 000009
【図５】
2013521983.tif 000010
【図６】
2013521983.tif 000011
【図７】
2013521983.tif 000012
【図８】
2013521983.tif 000013
【国際調査報告】
2013521983.tif 000014
2013521983.tif 000015
2013521983.tif 000016